(57)【特許請求の範囲】
【請求項１】
メディアデータである単一オブジェクトを複数含む頁型オブジェクトを扱ったシナリオを作成するマルチメディアデータのシナリオ編集装置であって、
複数の単一オブジェクトを格納するオブジェクト情報格納手段と、
利用者の指示に基づいて、前記オブジェクト情報格納手段より読み出した複数の単一オブジェクトから頁型オブジェクトを作成する頁型オブジェクト作成手段と、
利用者の指示に基づいて、シナリオに用いる頁型オブジェクトを選択するオブジェクト選択手段と、
前記頁型オブジェクトの表示及び消去のタイミングを指定する情報を含む前記シナリオのシナリオ情報を入力するシナリオ情報入力手段と、
前記頁型オブジェクトの表示が指定されている期間の中で前記頁型オブジェクトを構成する各単一オブジェクトが均一な時間だけ表示されるように、各単一オブジェクトの表示切替タイミングを設定する頁切替タイミング設定手段と
を備えるシナリオ編集装置。
【発明の詳細な説明】
【０００１】
【発明の属する技術分野】
本発明は、マルチメディアデータのシナリオを編集する編集装置及びシナリオの再生装置に関し、特に、基軸となる動画像に複数の静止画やテキストを順次割付けるときの編集操作を容易にしたものである。
【０００２】
【従来の技術】
マルチメディアの表示画面には、動画像や静止画、テキストなどの各種オブジェクトが組み合わされて表示される。このマルチメディアのタイトルの多くは、画面上に基軸となる動画オブジェクトが表示される一方で、画面上のウィンドウに静止画やテキストのオブジェクトが本の頁を繰るように順番に表示される形態を取る。このような時間的情報を持つ動画オブジェクトの任意のタイミングで、他のオブジェクトを画面上に表示したり、消去したりするマルチメディア映像のシナリオは、シナリオ編集装置を用いて作成される。
【０００３】
このときの編集操作は、次のように行なわれる。まず、基軸となる動画オブジェクトを選択し、その動画を再生する。そして、この再生を任意のフレームで停止し、付加するオブジェクトを選択して、そのオブジェクトの表示のタイミングを設定する。また、このオブジェクトの消去のタイミングを設定する場合にも、同じ手順を取る。
【０００４】
この編集操作では、一回の操作において一つの単一オブジェクトしか扱うことができない。従って、シナリオを完成させるまでに、この操作を、付加するオブジェクトの数だけ繰り返さなければならない。
【０００５】
【発明が解決しようとする課題】
しかし、従来のシナリオ編集装置では、頁型データ、つまり、本の頁のように順番が決まっている複数のデータをシナリオに取り込む場合に、単一のオブジェクト（１頁づつのデータ）しか扱うことができないため、編集者は、常に順番を間違えないように意識しながら、オブジェクトを一つ一つ選択しては、表示位置や表示の大きさを設定し、表示または消去のタイミングを設定する作業を頁数分繰り返さなければならず、大変煩わしかった。
【０００６】
このような状況は、例えば、“○○講演”のタイトルとして、講演者を映した動画を基軸にして、数十頁に及ぶ資料の静止画を順番に表示させるようなときに発生する。この場合、編集者は、数十頁に及ぶ静止画を順番を間違えないように一枚一枚選択し、各頁について、表示設定を繰り返す必要がある。従って、このようなタイトルを作る場合の編集効率は非常に悪い。
【０００７】
本発明は、こうした課題を解決するものであり、シナリオ作成に際して、頁型データの各頁の割付け作業が簡単であるシナリオ編集装置を提供することを目的としている。
【０００８】
【課題を解決するための手段】
そこで、本発明では、頁型オブジェクトを扱うシナリオを作成するマルチメディアデータのシナリオ編集装置において、複数の単一オブジェクトからなる頁型オブジェクトの纏まりに対して、その表示及び消去のタイミングを指定するシナリオ情報を入力する入力手段と、この頁型オブジェクトの表示期間の中で、頁型オブジェクトを構成する各単一オブジェクトの表示切替タイミングを設定する頁切替タイミング設定手段とを設けている。
【０００９】
この装置では、利用者が、頁型オブジェクトの単位でシナリオ情報を入力すると、頁切替タイミング設定手段が、自動的に各頁の表示タイミングを設定する。
【００１２】
【発明の実施の形態】
本発明の請求項１に記載の発明は、メディアデータである単一オブジェクトを複数含む頁型オブジェクトを扱ったシナリオを作成するマルチメディアデータのシナリオ編集装置であって、複数の単一オブジェクトを格納するオブジェクト情報格納手段と、利用者の指示に基づいて、オブジェクト情報格納手段より読み出した複数の単一オブジェクトから頁型オブジェクトを作成する頁型オブジェクト作成手段と、利用者の指示に基づいて、シナリオに用いる頁型オブジェクトを選択するオブジェクト選択手段と、頁型オブジェクトの表示及び消去のタイミングを指定する情報を含むシナリオのシナリオ情報を入力するシナリオ情報入力手段と、頁型オブジェクトの表示が指定されている期間の中で、この頁型オブジェクトを構成する各単一オブジェクトが均一な時間だけ表示されるように、各単一オブジェクトの表示切替タイミングを設定する頁切替タイミング設定手段と設けたものであり、頁型オブジェクトのシナリオ情報の入力を頁型オブジェクト単位で一括して行なうことができるため、編集操作が簡単になり、頁型オブジェクトの各頁の表示タイミングが均一に割付けされる。
【００１７】
以下、本発明の実施の形態について、図面を用いて説明する。
【００１８】
（実施の形態１）
第１の実施形態のシナリオ編集装置は、基軸の動画オブジェクトに対して、選択された頁型オブジェクトの各頁を自動的に均等割付けする。作成されたシナリオのマルチメディア映像では、動画像と併せて、一定時間間隔で頁を繰るように切替わる静止画やテキストの画像が画面のウィンドウに表示される。
【００１９】
この装置は、図１に示すように、単一オブジェクトや頁型オブジェクトを格納するオブジェクト情報格納部１０１と、各単一オブジェクトに頁を設定して頁型オブジェクトを作成する頁型オブジェクト作成手段１０２と、シナリオで用いるオブジェクトを選択するオブジェクト選択手段１０３と、選択したオブジェクトのシナリオ情報、つまり、オブジェクトの表示位置や大きさ、表示や消去のタイミングなどを入力するシナリオ情報入力手段１０４と、このシナリオ情報に基づいて、頁型オブジェクトの各頁の切替タイミングを自動生成する頁切替タイミング生成手段１０５と、生成されたシナリオを格納するシナリオ格納部１０６とを備えている。
【００２０】
このシナリオ編集装置の動作を説明する。
【００２１】
まず、利用者は、オブジェクト情報格納部１０１に格納されている単一オブジェクトから頁型オブジェクトを作成する。オブジェクト情報格納部１０１に格納されている動画、静止画及びテキストの単一オブジェクトには、図２に示すように、動画、静止画及びテキストの別に、各オブジェクトのファイル名を示す「オブジェクト名」に対応させて、各オブジェクトを一意に表す「管理ＩＤ」が付されている。
【００２２】
利用者は、頁型オブジェクト作成手段１０２を用いて、オブジェクト情報格納部１０１に格納されている単一オブジェクトを順番に選択し、頁型オブジェクトへの定義付けを行なうことによって頁型オブジェクトを作成する。そして、作成した頁型オブジェクトと頁型オブジェクト定義ファイルとを、再びオブジェクト情報格納部１０１に格納する。このとき、一つの頁型オブジェクトを作成するために選択する各単一オブジェクトのデータ種別は全て同一種でなくてはならない。
【００２３】
頁型オブジェクト定義ファイルは、図３に示す形式でオブジェクト情報格納部１０１に格納される。ここで、「属性」は頁型オブジェクトを構成する単一オブジェクトのデータ種別、「頁数」は頁型オブジェクトの総頁数、「頁情報」は頁型オブジェクトを構成する単一オブジェクトのファイル名を示し、この頁情報は頁数分存在する。
【００２４】
頁型オブジェクトには、図４に示すように、各頁型オブジェクト定義ファイルのファイル名を示す「頁型オブジェクト名」に対応させて、各頁型オブジェクトを一意に表す「頁型オブジェクト管理ＩＤ」が付され、オブジェクト情報格納部１０１に格納される。
【００２５】
次に、利用者は、オブジェクト情報格納部１０１に格納されたオブジェクトを選択して、シナリオの構造を設定する。いま、利用者が作成しようとするシナリオが、図６に示す構造であるとする。即ち、動画１の表示をフレームＦ０から始めて、この動画のフレームＦ１のタイミングで頁型オブジェクト１を画面に表示し、フレームＦ２のタイミングで頁型オブジェクト２を追加表示し、フレームＦ３のタイミングで頁型オブジェクト１を消去し、フレームＦ４のタイミングで頁型オブジェクト２を消去する。
【００２６】
この頁型オブジェクト１を画面に表示するフレームＦ１とＦ３との間に、頁型オブジェクト１を構成する頁情報を順番に表示し、また、頁型オブジェクト２を画面に表示するフレームＦ２とＦ４との間に、頁型オブジェクト２を構成する頁情報を順番に表示するのであるが、この各頁情報の表示のタイミングについては、利用者が設定したシナリオ構造を受けて、頁切替タイミング生成手段１０５が自動的に決定する。
【００２７】
まず、利用者はシナリオ構造の設定を図５に示す手順で行なう。
【００２８】
ステップ２０１：利用者は、オブジェクト選択手段１０３を用いて、基軸となる動画オブジェクト“動画１”を選択し、
ステップ２０２：次に、その他のオブジェクト“頁型オブジェクト１”、“頁型オブジェクト２”を選択する。
【００２９】
ステップ２０３：利用者は、シナリオ情報入力手段１０４を用いて、それぞれのオブジェクトを表示する位置及び大きさを入力し、
ステップ２０４：さらに、動画以外のオブジェクトを表示及び消去するフレームを入力する。
【００３０】
シナリオ情報入力手段１０４で入力されたデータは、適宜シナリオ情報に変換され、中間ファイルとしてシナリオ格納部１０６に格納される。
【００３１】
シナリオ情報は、シナリオの構成を表す情報であり、図７に示すように、シナリオ中で使用するオブジェクトの情報を示すオブジェクト管理部（ａ）と、タイミングとオブジェクトの動作との関係を示すメッセージ管理部（ｂ）と、オブジェクトの表示位置や表示の大きさのデータを管理するウィンドウ管理部（ｃ）との３つの管理部から構成される。
【００３２】
オブジェクト管理部における「オブジェクトＩＤ」は、シナリオに使用する各オブジェクトに付けたＩＤであり、各オブジェクトのファイル名を示す「オブジェクト名」に対応して付けられる。メッセージ管理部における「フレーム」はメッセージが送信されるタイミングであり、基軸となる動画のフレームで示す。「メッセージＩＤ」は、各タイミングにおいて、動作を指定するメッセージの種別を表している。メッセージには表示または消去を指示する種別があり、ここでは“０”が表示を、“−１”が消去を意味している。「ウィンドウＩＤ」は、オブジェクトの表示形態をウィンドウ管理部の定義するウィンドウＩＤのどれで行なうかを示している。属性はデータ種別を示し、データが頁型オブジェクトであるときはその旨を表す。また、ウィンドウ管理部における「幅」、「高さ」はそれぞれオブジェクトを表示する際の幅、高さを示し、「Ｘ座標」、「Ｙ座標」は、オブジェクトを表示する際の位置を示している。ウィンドウ管理部は、これらをオブジェクトの属性ごとに規定している。
【００３３】
頁切替タイミング生成手段１０５は、この中間シナリオ情報から、図８の処理手順によって、頁型オブジェクトにおける各頁情報の頁切替タイミングを求め、最終的なシナリオ情報を生成する。
【００３４】
ステップ３０１：まず、頁切替タイミング生成手段１０５は、シナリオ格納部１０６に格納されている中間シナリオ情報を取り出し、シナリオに使用されているオブジェクト名を取得し、
ステップ３０２：このオブジェクト名が指し示す頁型オブジェクト定義ファイルをオブジェクト情報格納部１０１から読み込み、
ステップ３０３：オブジェクト管理部の頁型オブジェクト名を、頁型オブジェクト定義ファイルの頁情報に記述されている単一オブジェクトのファイル名に置き換える。その結果、オブジェクト管理部は、図９（ａ）のようになる。
【００３５】
ステップ３０４：次に、頁型オブジェクトの表示時間から１頁あたりの表示時間を計算する。例えば、“頁型オブジェクト１”の表示タイミングをフレームＦ１、消去タイミングをフレームＦ３、頁型オブジェクト１の頁数を２０頁とすると、１頁あたりの表示時間［フレーム］は、ｆ＝（Ｆ３−Ｆ１）／２０となる。
【００３６】
ステップ３０５：次に、求めた１頁あたりの表示時間を基に、メッセージ管理部を１頁単位のメッセージに書き換える。その結果、メッセージ管理部は図９（ｂ）のようになる。
【００３７】
ステップ３０６：次に、これらの書き換えた情報をシナリオ情報としてシナリオ格納部１０６に格納する。
【００３８】
このシナリオ情報は、単一オブジェクトのみで表現されるので、従来のシナリオ再生装置で再生することが可能である。
【００３９】
このように、このシナリオ編集装置では、頁型オブジェクトをシナリオに組み込む場合の操作が一括して行なわれ、そのため、シナリオ編集の操作回数を減らすことができる。また、各頁の表示タイミングを自動的に均等に割りつけることができ、頁の表示タイミングが厳密である必要がないタイトルを簡単に作ることができる。
【００４０】
（実施の形態２）
第２の実施形態のシナリオ編集装置は、基軸の動画オブジェクトに対して、頁型オブジェクトの各頁を利用者の意図する時間間隔で割付けることができる。
【００４１】
この装置は、図１０に示すように、頁型オブジェクトの各頁の切替えタイミングを設定する手段として、利用者が指定する時間間隔で頁切替タイミングを設定する頁切替タイミング設定手段４０１を備えている。その他の構成は第１の実施形態の装置と変わりがない。
【００４２】
利用者は、図１１に示す操作画面を通じて、この頁切替タイミング設定手段４０１に指令を与える。この操作画面は、表示画面上に、動画像を表示するウィンドウ５０１と、頁型オブジェクトを表示するウィンドウ５０２とを持ち、動画像を再生する再生ボタン５０４と、動画像の再生を停止する停止ボタン５０３と、表示された頁型オブジェクトの頁を変える改頁ボタン５０５とを具備している。
【００４３】
このシナリオ編集装置において、利用者が、単一オブジェクトから頁型オブジェクトを作成し、シナリオに用いるオブジェクトを選択し、シナリオの構成を入力し、それに伴って、中間シナリオ情報がシナリオ格納部１０６に格納されるまでの動作は、第１の実施形態の場合と変わりがない。
【００４４】
それに続く、中間シナリオ情報から最終的なシナリオ情報を生成する手順は、図１２のフローに従って行なわれる。
【００４５】
ステップ６０１：頁切替タイミング設定手段４０１は、シナリオ格納部１０６に格納されている中間シナリオ情報を取り出す。利用者は、頁切替タイミングを設定するために、中間シナリオ情報のオブジェクト管理部に設定されている頁型オブジェクトの内の頁型オブジェクト１を選択する。頁切替タイミング設定手段４０１は、この頁型オブジェクト１の頁型オブジェクト定義ファイルをオブジェクト情報格納部１０１から読み込み、オブジェクト管理部の頁型オブジェクト１のオブジェクト名を頁型オブジェクト定義ファイルの頁情報に記述されている単一オブジェクトのファイル名に置き換える。次いで、頁切替タイミング設定手段４０１は、図１１の操作画面を表示し、動画表示ウィンドウ５０１に、選択された頁型オブジェクト１の表示タイミングであるフレームＦ１の動画像を表示し、頁型オブジェクト表示ウィンドウ５０２に、選択された頁型オブジェクト１の先頭頁を表示する。
【００４６】
ステップ６０２：利用者は、再生ボタン５０４を押して動画を再生し、任意のフレームＦａで停止ボタン５０３を押して動画を止め、
ステップ６０３：改頁ボタン５０５を押して頁型オブジェクトの頁を切替える。この操作に合わせて、頁切替タイミング設定手段４０１は、シナリオ情報のメッセージ管理部の記述を、フレームＦａにおいて次の頁情報の表示に切替わるように、１頁単位のメッセージに書き換える。
【００４７】
次いで、ステップ６０２に戻り、最終頁に達するまで、ステップ６０２、ステップ６０３を繰返して、頁型オブジェクト１の頁切替えを設定する。また、頁型オブジェクト２についても同じ手順で頁切替えの設定を行なう。その結果、シナリオ情報のオブジェクト管理部は図９（ａ）のようになり、また、メッセージ管理部は図９（ｂ）のようになる。
【００４８】
最終的に、書き換えの終えたシナリオ情報は、シナリオ格納部１０６に格納される。このシナリオ情報は、第１の実施形態の場合と同様、単一オブジェクトのみで表現されるので、従来のシナリオ再生装置で再生することが可能である。
【００４９】
このように、第２の実施形態のシナリオ編集装置では、頁型オブジェクトの各頁の表示タイミングを利用者が簡単な操作で任意に設定することができ、頁の表示タイミングが厳密である必要があるタイトルを簡単に作ることができる。
【００５０】
（実施の形態３）
第３の実施形態のシナリオ再生装置は、頁型オブジェクトの各頁の表示タイミングが設定されていないシナリオから、利用者の要求に応じて、インタラクティブに頁型オブジェクトの各頁を再生する。
【００５１】
この装置は、図１３に示すように、頁型オブジェクトを格納するオブジェクト情報格納部７０１と、シナリオ情報を格納するシナリオ格納部７０２と、シナリオ情報に従ってオブジェクトの表示・消去メッセージを出力するシナリオ制御手段７０３と、オブジェクトを表示するオブジェクト表示手段７０４と、利用者の要求に応じて頁型オブジェクトの頁切替操作を行なう頁切替制御手段７０５とを備えている。
【００５２】
このシナリオ再生装置は、図１４に示すように、シナリオ再生画面に、動画を表示するウィンドウ８０４と、静止画またはテキストの頁型オブジェクトを表示するウィンドウ８０３と、この頁型オブジェクトの頁を戻すときにタッチする前頁ボタン８０１と、頁型オブジェクトの頁を進めるときにタッチする次頁ボタン８０２とを表示する。
【００５３】
また、オブジェクト情報格納部７０１には頁型オブジェクト情報（図４）と頁型オブジェクト定義ファイル（図３）とが格納され、また、シナリオ格納部７０２には、頁型オブジェクトの各頁の表示タイミングが設定される前のシナリオ情報（中間的シナリオ情報に相当するもの）（図７）が格納されている。
【００５４】
シナリオ制御手段７０３は、シナリオ格納部７０２に格納されているシナリオ情報を読み込み、基軸となる動画をシナリオ再生画面の動画ウィンドウ８０４に表示し、再生する。また、シナリオ制御手段７０３は、シナリオ情報に設定されているメッセージ送信時間（動画のフレーム）に、指定されたメッセージをオブジェクト表示手段７０４に送信する。オブジェクト表示手段７０４は、受信したメッセージが表示を指示しているときは、該当する頁型オブジェクトの最初の頁を静止画／テキストウィンドウ８０３に表示し、頁切替制御部７０５に頁切替制御ボタン（前頁ボタン８０１及び次頁ボタン８０２）の表示依頼を送信する。また、受信したメッセージが非表示を指示しているときは、該当する頁型オブジェクトを消去し、頁切替制御部７０５に頁切替制御ボタンの消去依頼を送信する。
【００５５】
頁切替制御部７０５は、頁切替制御ボタンの表示依頼を受信すると、頁切替制御ボタンを図１４のように表示（前頁ボタンは無効）し、頁カウンタに１をセットする。また、頁切替制御ボタンの消去依頼を受信すると、頁切替制御ボタンを画面から消去する。
【００５６】
次に、頁切替制御ボタン表示中に、利用者がこのボタンを操作したときの頁切替制御部７０５の動作を説明する。頁切替制御部７０５は、このとき、図１５に示す手順で処理を行なう。利用者が次頁ボタン８０２を押した場合は、
ステップ９０１：頁切替制御部７０５は、頁カウンタが１と等しいかどうかをチェックし、
ステップ９０２：ＹＥＳであれば、前頁ボタン８０１を有効にする。
ステップ９０３：次に、頁カウンタを１増やし、
ステップ９０４：頁カウンタが総頁数と等しいかどうかをチェックし、
ステップ９０５：ＹＥＳであれば次頁ボタン８０２を無効にする。
ステップ９０６：次に、頁型オブジェクト定義ファイルから頁カウンタが示す頁のファイル名を取り出し、
ステップ９０７：オブジェクト表示手段７０４に、その頁の表示依頼を送信する。表示依頼を受けたオブジェクト表示手段７０４は、その頁のオブジェクトを静止画／テキストウィンドウ８０３に表示する。
【００５７】
また、利用者が前頁ボタン８０１を押した場合は、図１６に示すように、
ステップ１００１：頁切替制御部７０５は、頁カウンタが総頁数と等しいかどうかをチェックし、
ステップ１００２：ＹＥＳであれば次頁ボタン８０２を有効にする。
ステップ１００３：次に、頁カウンタを１減らし、
ステップ１００４：頁カウンタが１と等しいかどうかをチェックし、
ステップ１００５：ＹＥＳであれば前頁ボタン８０１を無効にする。
ステップ１００６：次に、頁型オブジェクト定義ファイルから頁カウンタが示す頁のファイル名を取り出し、
ステップ１００７：オブジェクト表示手段７０４に、その頁の表示依頼を送信する。表示依頼を受けたオブジェクト表示手段７０４は、その頁のオブジェクトを静止画／テキストウィンドウ８０３に表示する。
【００５８】
このように、第３の実施形態のシナリオ再生装置では、頁型オブジェクトが表示されているときの頁切替制御ボタン操作に応じて、頁送りまたは頁戻しを行なうので、インタラクティブ性が向上する。また、この再生に用いるシナリオには、頁型オブジェクトの各頁の表示タイミングを固定的に設定する必要がないので、シナリオ編集時の作業が軽減される。
【００５９】
（実施の形態４）
第４の実施形態のシナリオ編集装置は、頁型オブジェクトの途中の頁までは頁切替えのタイミングを固定的に設定し、それ以降の頁については利用者が自由にめくることができるようにシナリオを編集する。
【００６０】
このシナリオ編集装置は、図１７に示すように、頁切替タイミング設定手段４０１により表示設定されなかった残りの頁を新たに頁型オブジェクトとして再設定する頁型オブジェクト再設定手段１１０１を備えている。その他の構成は第２の実施形態と変わりがない。
【００６１】
この装置において、利用者が単一オブジェクトから頁型オブジェクトを作成し、シナリオに使用するオブジェクトを選択して、中間シナリオ情報を作成するまでの動作は、第１の実施形態の場合と同じである。
【００６２】
次に、頁切替タイミング設定手段４０１は、シナリオ格納部１０６に格納された中間シナリオ情報を取り出し、利用者の設定する頁切替タイミングに基づいて、シナリオ情報の記述を書き換える。この動作は、第２の実施形態の場合と同じであり、利用者は図１１の操作画面から頁切替タイミングの設定を行ない、頁切替タイミング設定手段４０１は、図１２の手順でシナリオ情報の書き換えを行なう。
【００６３】
このとき、利用者は任意の頁まで頁切替タイミングの設定を行なった後、操作を停止する。いま、動画に対して、静止画の頁型オブジェクト１の割付けが行なわれており、利用者によって頁型オブジェクト１の５頁までの頁切替え設定が実行されたものとすると、この段階でのシナリオ情報は、オブジェクト管理部が図１８（ａ）のように、メッセージ管理部が図１８（ｂ）のように、また、ウィンドウ管理部が図１８（ｃ）のようになる。
【００６４】
頁型オブジェクト再設定手段１１０１は、この後を受けて、次の手順で最終的なシナリオ情報を生成する。
【００６５】
頁型オブジェクト再設定手段１１０１は、図１９に示すように、頁切替設定がなされ無かった残りの頁について、新たに頁型オブジェクト３として、頁型オブジェクト定義ファイルを作成する。次いで、シナリオ情報のオブジェクト管理部において頁切替が設定されていない単一オブジェクトを、新たに生成した頁型オブジェクト３に書き換える。その結果、オブジェクト管理部は図２０（ａ）のようになる。
【００６６】
次に、頁型オブジェクト再設定手段１１０１は、頁切替が設定されなかった残された期間、頁型オブジェクト３を表示及び消去するようにメッセージ管理部にメッセージを追加する。その結果、メッセージ管理部は図２０（ｂ）のようになる。そして、最終的に得られたシナリオ情報をシナリオ格納部１０６に格納する。
【００６７】
このシナリオ情報は、第２の実施形態と異なり、単一オブジェクトと頁型オブジェクト３との組合せとして表現される。この頁型オブジェクト３については、利用者は、第３の実施形態のように、インタラクティブに頁送り、頁戻しを行ない、シナリオを再生する。従って、このシナリオ情報は、第３実施形態のシナリオの再生が可能なシナリオ再生装置でのみ再生することが可能となる。
【００６８】
このように、第４の実施形態のシナリオ編集装置では、頁型データの一部を任意のタイミングで表示し、残りの頁を自由にめくることができるシナリオを編集することができる。
【００６９】
【発明の効果】
以上の説明から明らかなように、本発明のマルチメディアデータのシナリオ編集装置では、複数の単一オブジェクトから成る頁型オブジェクトをシナリオに用いる場合に、頁型オブジェクトを単位として、一括してシナリオ情報を設定することができ、また、シナリオ構成設定後の個々の頁の割付け作業を自動化することができるため、編集操作が簡単になる。
【図面の簡単な説明】
【図１】本発明の第１実施形態のシナリオ編集装置の構成を示すブロック図、
【図２】第１実施形態の装置で素材として用いられる単一オブジェクト情報の例、
【図３】第１実施形態の装置で作成される頁型オブジェクト定義ファイルの例、
【図４】第１実施形態の装置で作成された頁型オブジェクト情報の例、
【図５】第１実施形態の装置での利用者によるシナリオ構造設定手順を示すフロー図、
【図６】第１実施形態の装置で設定しようとするシナリオ構造の例、
【図７】第１実施形態の装置で設定される中間シナリオ情報の例、
【図８】第１実施形態の装置の頁切替タイミング生成手段の動作を示すフロー図、
【図９】第１実施形態の装置で作成する最終的シナリオ情報の例、
【図１０】本発明の第２実施形態のシナリオ編集装置の構成を示すブロック図、
【図１１】第２実施形態の装置の頁切替タイミング設定手段が提供する操作画面の例、
【図１２】第２実施形態の装置で利用者が行なう頁切替タイミング設定手順のフロー図、
【図１３】本発明の第３実施形態のシナリオ再生装置の構成を示すブロック図、
【図１４】第３実施形態の装置の操作画面の例、
【図１５】第３実施形態の装置での次頁ボタン押下時の処理フロー図、
【図１６】第３実施形態の装置での前頁ボタン押下時の処理フロー図、
【図１７】本発明の第４実施形態のシナリオ編集装置の構成を示すブロック図、
【図１８】第４実施形態の装置で設定される中間シナリオ情報の例、
【図１９】第４実施形態の装置で再設定される頁型オブジェクト定義ファイルの例、
【図２０】第４実施形態の装置で作成する最終的シナリオ情報の例である。
【符号の説明】
１０１  オブジェクト情報格納部
１０２  頁型オブジェクト作成手段
１０３  オブジェクト選択手段
１０４  シナリオ情報入力手段
１０５  頁切替タイミング生成手段
１０６  シナリオ格納部
４０１  頁切替タイミング設定手段
５０１  動画表示ウィンドウ
５０２  頁型オブジェクト表示ウィンドウ
５０３  停止ボタン
５０４  再生ボタン
５０５  改頁ボタン
７０１  オブジェクト情報格納部
７０２  シナリオ格納部
７０３  シナリオ制御手段
７０４  オブジェクト表示手段
７０５  頁切替制御部
８０１  前頁ボタン
８０２  次頁ボタン
８０３  静止画／テキストウィンドウ
８０４  動画ウィンドウ
１１０１  頁型オブジェクト再設定手段
【図１】
0003618156.tif 000002
【図２】
0003618156.tif 000003
【図３】
0003618156.tif 000004
【図４】
0003618156.tif 000005
【図５】
0003618156.tif 000006
【図６】
0003618156.tif 000007
【図７】
0003618156.tif 000008
【図８】
0003618156.tif 000009
【図９】
0003618156.tif 000010
【図１０】
0003618156.tif 000011
【図１１】
0003618156.tif 000012
【図１２】
0003618156.tif 000013
【図１３】
0003618156.tif 000014
【図１４】
0003618156.tif 000015
【図１５】
0003618156.tif 000016
【図１６】
0003618156.tif 000017
【図１７】
0003618156.tif 000018
【図１８】
0003618156.tif 000019
【図１９】
0003618156.tif 000020
【図２０】
0003618156.tif 000021